(57)【要約】【課題】容易かつ適切に表示手段の輝度調整を行うことができる輝度調整方法を提供する。【解決手段】画像表示装置１は、表示部１２の輝度調整を行う場合、環境光下にて最低駆動レベルにより表示部１２を駆動させて、表示部１２の輝度を測定させる。また、暗室環境下にて、最低駆動レベル及び測定用駆動レベルにより表示部１２を駆動させ、階調の異なるテストチャートを表示させて、各階調毎に表示部１２の輝度を測定させる。そして、環境光下の最低駆動レベルにおける輝度値と、各階調毎に測定された輝度値から求められるモニタ特性とに基づいて、階調を補正するためのＬＵＴを作成する。【選択図】図１
2005157260.tif 000002
【特許請求の範囲】
【請求項１】
画像を表示する表示手段の輝度調整方法であって、
読影環境下で、最低駆動レベルで前記表示手段を駆動させて当該表示手段の輝度値を測定する工程と、
暗室環境下で、最低駆動レベルで前記表示手段を駆動させて当該表示手段の輝度値を測定する工程と、
暗室環境下で、測定用駆動レベルで前記表示手段を駆動させ、当該表示手段に階調の異なる複数のテスト画像を表示させる工程と、
前記テスト画像が表示された表示手段の輝度値をテスト画像毎に測定する工程と、
読影環境下で測定された最低駆動レベルにおける輝度値と、暗室環境下で測定された最低駆動レベルにおける輝度値と、暗室環境下で測定されたテスト画像毎の輝度値とに基づいて、前記表示手段の階調特性を補正する階調補正テーブルを作成する工程と、
を含むことを特徴とする輝度調整方法。
【請求項２】
前記暗室環境下で測定されたテスト画像毎の輝度値に基づいて前記表示手段の階調特性を算出する工程と、
前記算出された階調特性及び前記暗室環境下における最低駆動レベルの輝度値を記憶する工程と、
読影環境下で、最低駆動レベルで前記表示手段を駆動させて当該表示手段の輝度値を測定する工程と、
前記暗室環境下における表示手段の階調特性と、前記読影環境下で測定された最低駆動レベルにおける輝度値と前記暗室環境下で測定された最低駆動レベルにおける輝度値との差分とに基づいて、環境光下における表示手段の階調特性を算出する工程と、
前記算出された環境光下における表示手段の階調特性を補正する階調補正テーブルを作成する工程と、
を含むことを特徴とする請求項１記載の輝度調整方法。
【発明の詳細な説明】
【技術分野】
【０００１】
本発明は、医用画像を表示する表示手段の輝度調整方法に関するものである。
【背景技術】
【０００２】
近年、医療機関で放射線画像等、患者を撮影して得られた医用画像のデジタル化が実現されており、医用画像を読影する際には、フィルム等の記録媒体に画像データを出力したハードコピーを使用する他、ＣＲＴ（Cathode Ray Tube）やＬＣＤ（Liquid Crystal Display）等の表示手段に画像データを表示したソフトコピーを用いることが一般的になってきた。
【０００３】
また、近年では、病院内の情報を管理するシステム（以下、ＨＩＳ；Hospital Information Systemという。）や放射線科内の情報を管理するシステム（以下、ＲＩＳ；Radiology Information Systemという。）等にＬＡＮ（Local Area Network）等の通信ネットワークを介して複数の端末が接続され、ネットワークを介して送受信された医用画像を複数の画像表示装置や画像出力装置において利用できるようになってきている。このように、病院内で複数の読影用の画像表示装置が備えられる場合、同じ医用画像を出力する場合でも出力先ではそれぞれ出力特性が異なるため、各出力先で画像の再現性が異なってくる。再現された画像が異なることは、患者を診断するうえで好ましくなく、例えば同一患者の胸部画像を複数の読影用端末で読影する場合には、どの装置を使用しても画像の再現性が同一となることが望まれる。
【０００４】
そこで、フィルム出力装置同士、フィルム出力装置〜表示装置間、表示装置間で同一の画像が同一の階調再現性を有するように画像処理を施す方法が開発されている（例えば、特許文献１参照）。また、このように画像処理が施された医用画像を複数の画像表示装置に同一の表示態様にて表示させる場合、全ての画像表示装置の階調特性を同一にするように表示手段の輝度調整を行う必要がある。さらに、医用画像の読影は様々な環境光（例えば、太陽光、蛍光灯等）の下で行われるが、表示手段にこれらの環境光が写り込むと意図した階調特性を再現できない場合がある。そこで、このような環境光の影響を補正するためにも輝度調整を行う必要がある。
【０００５】
以下、従来の画像表示装置の輝度調整の方法について説明する。まず、医用画像の読影環境下において画像表示装置の電源を遮断した状態で表示手段の輝度を測定する。次いで、暗室環境下において電源を投入した状態で、所定のモニタ駆動レベルに応じた階調の異なる複数のテストチャートを表示手段に表示させ、テストチャート毎に表示手段の輝度を測定することにより、暗室環境下におけるモニタ特性を測定する。そして、環境光下における電源遮断時の表示手段の輝度及び暗室環境下で測定したモニタ特性に基づいて、読影環境下における表示手段のモニタ特性を算出し、算出されたモニタ特性に基づいて輝度調整を行う。
【特許文献１】特開平９−２６１４７９号公報
【発明の開示】
【発明が解決しようとする課題】
【０００６】
しかしながら、上述した従来の輝度調整方法にあっては、画像表示装置の電源を一旦遮断し、再投入した後に表示手段の輝度を測定する必要があるが、電源投入直後の状態では、表示手段の輝度レベルが安定しないという問題がある。そこで、正確な測定を行うためには輝度レベルの安定化に一定時間（例えば、３０分程度）をおく必要があり、輝度調整に時間がかかっていた。また、ネットワークに接続されている画像表示装置の電源を遮断すると、システムを管理するサーバが画像表示装置を認識することができなくなり、ネットワークエラーが生じてしまう場合があった。
【０００７】
また、医用画像の読影環境が変化した場合、環境光の変化に応じた輝度調整が必要となるが、環境光が変化する度に画像表装置の電源を遮断して輝度調整を行うことは煩雑な作業であり、業務効率の低下を招いていた。
【０００８】
本発明の課題は、画像表示装置の電源を遮断することなく画像表示装置の輝度調整を行うことができる輝度調整方法を提供することである。
【課題を解決するための手段】
【０００９】
請求項１に記載の発明は、
画像を表示する表示手段の輝度調整方法であって、
読影環境下で、最低駆動レベルで前記表示手段を駆動させて当該表示手段の輝度値を測定する工程と、
暗室環境下で、最低駆動レベルで前記表示手段を駆動させて当該表示手段の輝度値を測定する工程と、
暗室環境下で、測定用駆動レベルで前記表示手段を駆動させ、当該表示手段に複数の階調のテスト画像を表示させる工程と、
前記テスト画像が表示された表示手段の輝度値をテスト画像毎に測定させる工程と、
読影環境下で測定された最低駆動レベルにおける輝度値と、暗室環境下で測定された最低駆動レベルにおける輝度値と、暗室環境下で測定されたテスト画像毎の輝度値とに基づいて、前記表示手段の階調特性を補正する階調補正テーブルを作成する工程とを含むことを特徴としている。
【００１０】
請求項２記載の発明は、請求項１記載の輝度調整方法において、
前記暗室環境下で測定されたテスト画像毎の輝度値に基づいて表示手段の階調特性を算出する工程と、
前記算出された暗室環境下における表示手段の階調特性及び前記暗室環境下における最低駆動レベルの輝度値を記憶する工程と、
読影環境下で、最低駆動レベルで前記表示手段を駆動させて当該表示手段の輝度値を測定する工程と、
前記暗室環境下における階調特性と、前記読影環境下で測定された最低駆動レベルにおける輝度値と前記暗室環境下で測定された最低駆動レベルにおける輝度値との差分と、に基づいて、前記表示手段の階調特性を補正する階調補正テーブルを作成する工程と、
を含むことを特徴としている。
【発明の効果】
【００１１】
請求項１記載の発明によれば、表示手段の輝度調整を行う場合、画像表示手段の電源を遮断することなく、輝度の測定を行うことができるため、電源の遮断及び画像表示装置の再起動に係る時間を省いて効率良く輝度の測定を行うことができる。また、例えば、画像表示装置がネットワークに接続されている場合、電源が遮断されることにより、ネットワークエラーが生じることを防ぐことができる。さらに、画像表示装置の電源を遮断することなく、読影環境下において最適となる階調補正テーブルを作成することができ、環境光の写り込み等の影響を適切に補正した輝度調整を行うことができる。この結果、環境光の写り込み等の影響による輝度ムラを低減させた良好な輝度特性の下、医用画像を表示手段に表示させて、正確な読影を行うことができる。
【００１２】
請求項２記載の発明によれば、読影時の環境光が変化した場合、変化した読影環境下において、最低駆動レベルにおける表示手段の輝度値を測定するだけで、環境光下における表示手段の階調特性を補正する階調補正テーブルを作成することができる。これにより、容易かつ迅速に表示手段の輝度調整を行うことができる。
【発明を実施するための最良の形態】
【００１３】
以下、図１〜図６を参照して本発明を実施するための最良の形態を詳細に説明する。ただし、発明の範囲は、図示例に限定されない。
【００１４】
まず、構成を説明する。
図１に、本実施の形態における画像表示装置１の内部構成を示す。
図１に示すように、画像表示装置１は、制御部１１、表示部１２、操作部１３、通信部１４、ＲＡＭ（Random Access Memory）１５、記憶部１６等から構成され、各部はバス１７により接続されている。
【００１５】
制御部１１は、ＣＰＵ（Central Processing Unit）、ＲＯＭ（Read Only Memory）等から構成され、ＲＯＭに格納されるシステムプログラムの他、本発明に係るキャリブレーション画像表示処理プログラム（図３参照）等をＲＡＭ１５に展開して、当該プログラムとの協働により処理動作を統括的に制御する。
【００１６】
具体的に、制御部１１は、記憶部１６に記憶される輝度測定処理プログラム、ＬＵＴ作成処理プログラムを読み出して、後述する輝度測定処理（図２）、ＬＵＴ作成処理（図３）を実行する。この輝度測定処理、ＬＵＴ作成処理を実行するに際して、制御部１１は、表示部１２を最低駆動レベルで駆動させ、表示部１２の輝度を測定させる。次いで、測定用駆動レベルで表示部１２を駆動させて、テストチャートを表示させ、表示部１２の輝度を測定させる。そして、測定結果に基づいて、モニタ特性に基づいた階調特性を補正するための階調補正テーブル（本明細書中、「ＬＵＴ」と呼ぶ）を作成し、作成したＬＵＴによりテストチャートを変換して、再度表示部１２に表示させる。すなわち、制御部１１と、輝度測定処理プログラム、ＬＵＴ作成プログラムとの協働により、制御手段、表示制御手段、入力制御手段、階調補正テーブル作成手段を実現する。
【００１７】
表示部１２は、ＣＲＴ、ＬＣＤ等のモニタを備えた表示手段であり、制御部１１から入力される表示信号の指示に従って操作部１３、記憶部１６から入力される表示情報をモニタ上に表示する。例えば、本実施の形態においては、輝度調整を行うため所定のモニタ駆動レベルに応じたテストチャート（例えば、図４参照）を表示する。
【００１８】
操作部１３は、数字キー、文字キー、機能キー等を備えたキーボードや、マウス、表示部１２と一体に構成されるタッチパネル等を備えて構成され、操作されたキーに対応する操作信号を制御部１１に出力する。
【００１９】
通信部１４は、ネットワークインターフェイスカードやモデム等の通信用のインターフェイスを備えて構成される通信手段であり、通信ネットワーク上の外部機器と相互にデータの送受信を行う。例えば、ＬＡＮ上の医用画像生成装置に接続し、生成された医用画像の画像データを受信する、或いは医用画像データに各種情報を付帯させてサーバに送信することができる。
【００２０】
ＲＡＭ１５は、制御部１１によって実行される各種プログラム及びこれらプログラムに係るデータを一時的に記憶するワークエリアを形成する。
【００２１】
記憶部１６は、プログラムやデータ等があらかじめ記憶されている記録媒体（図示せず）を有しており、この記録媒体は磁気的、光学的記録媒体、若しくは半導体メモリで構成されている。また、この記録媒体は記憶部１６に固定的に設けられるもの、若しくは着脱自在に装着するものであり、システムプログラム、当該システムに対応する各種処理プログラム、及び各種処理プログラムで処理されたデータ等を記憶する。例えば、本実施の形態においては、後述するＬＵＴ作成処理において入力された輝度値や算出されたモニタ特性、作成されたＬＵＴ等を記憶する。
【００２２】
次に、本実施の形態における動作を説明する。
動作説明の前提として、以下のフローチャートに記述されている各処理を実現するためのプログラムは、コンピュータが読み取り可能なプログラムコードの形態で記憶部１６に格納されており、制御部１１は、当該プログラムコードに従った動作を逐次実行する。また、制御部１１は、伝送媒体を介して外部から供給されるプログラム及びデータを利用して、本実施の形態特有の動作を逐次実行することも可能である。
【００２３】
まず、環境光の影響を受けない状態で表示部１２のモニタ特性（階調特性）を測定するための輝度測定処理について説明する。図２は、画像表示装置１の制御部１１により実行される輝度測定処理を示すフローチャートである。図２に示すように、輝度調整を行うため、電源スイッチが押下されて輝度調整指示が入力されると、画像表示装置１の電源が投入され（ステップＳ１）、表示部１２が最低駆動レベルにて駆動される（ステップＳ２）。
【００２４】
ここで、最低駆動レベルとは、表示部１２を駆動させるために必要となる最も低い駆動レベル（モニタ駆動値＝０）のことをいう。最低駆動レベルにおいて表示された表示部１２の輝度を最低輝度レベルという。この最低輝度レベルを測定した輝度値に基づいて、暗電流の影響やＬＣＤの透過漏れの影響を含めた階調特性の補正を行うことが可能となる。また、輝度測定用のテストチャートを表示させるための駆動レベルを測定用駆動レベルという。
【００２５】
次いで、最低駆動レベルにて駆動された表示部１２の輝度を輝度計により測定させる（ステップＳ３）。続いて、制御部１１は、測定用駆動レベルにて表示部１２を駆動させ（ステップＳ４）、表示部１２にテストチャート（テスト画像）を表示させる（ステップＳ５）。
【００２６】
ここで、図４を参照して、表示部１２に表示されるテストチャートについて説明する。図４（ａ）は、階調の異なる複数のテストチャートが表示された表示画面１２１を示す図である。図４（ａ）に示すように、表示画面１２１には、３階調ステップａ１〜ａ３を有するグレースケールのテストチャートが同一画面に表示されている。オペレータは、表示部１２に表示された３階調のテストチャートをそれぞれ輝度計により測定する。
【００２７】
図４（ｂ）は、画面を切り替えることにより階調の異なる複数のテストチャートを表示する表示画面１２２ａ〜１２２ｃを示す図である。図４（ｂ）に示すように、例えば、低濃度の階調ステップａ１をテストチャート表示領域全体に表示させ、階調ステップａ１における輝度が測定された後、指示に応じて次の階調ステップａ２を画像表示領域全体に表示させる。このように、画像表示領域全体に階調ステップａ１〜ａ３を順に切り換えて表示させることとしてもよい。
【００２８】
なお、図４に示したテストチャートの表示画面例は、一例でありこれに限らない。例えば、階調ステップ数を多くして補正精度を向上させることとしてもよい。
【００２９】
図２に戻り、表示部１２に表示された各テストチャートの輝度が測定され（ステップＳ６）、輝度測定終了の指示が入力されると（ステップＳ７；ＹＥＳ）、本輝度測定処理を終了する。また、輝度測定を再度行う指示が入力された場合（ステップＳ７；ＮＯ）、ステップＳ２に移行して、上述した処理を繰り返して実行する。
【００３０】
上述した輝度測定処理に係る輝度測定は、本発明に特徴的な実施の形態として、環境光の影響を受けない状態においてモニタ特性の測定を行うため、照明や日光等の画面への写り込みがない暗室等の環境下（以下、「暗室環境下」と記す）で行われるものとする。また、輝度測定処理の実行とともに、読影時の環境光の影響を測定するため、医用画像の読影が行われる環境、すなわち、読影時の環境光下（以下、「読影環境下」と記す）において、最低駆動レベルにて駆動された表示部１２の輝度が輝度計で測定される。そして、暗室環境下で測定された輝度値に基づくモニタ特性と、読影環境下で測定された最低駆動レベルにおける輝度値に基づいて読影環境下におけるモニタ特性を算出し、この読影環境下におけるモニタ特性に基づいて表示部１２をキャリブレーションするためのＬＵＴ作成処理が実行される。以下、図３を参照して、ＬＵＴ作成処理について詳細に説明する。
【００３１】
図３は、制御部１１により実行されるＬＵＴ作成処理を示すフローチャートである。図３に示すように、制御部１１は、表示部１２にＬＵＴ作成画面（図５）を表示させ、測定したそれぞれの輝度値を入力させる（ステップＳ１１）。
【００３２】
図５を参照して、ＬＵＴ作成画面１２３について説明する。図５に示すように、ＬＵＴ作成画面１２３は、測定された輝度値を入力するための入力項目１２３ａと、作成されたＬＵＴカーブを表示するＬＵＴ表示領域１２３ｂと、ＬＵＴの調整指示を入力する指示ボタン１２３ｃとが設けられている。
【００３３】
入力項目１２３ａには、暗室環境下で測定された最低駆動レベルにおける輝度値及びテストチャートの階調毎に測定された輝度値が入力される。具体的に、入力項目１２３ａの「00」には最低駆動レベルにおける輝度値Ｌ０が入力され、「01」〜「16」には、１６段階のテストチャートに基づいて測定された輝度値が入力される構成となっている。また、図示はしないが、ＬＵＴ作成画面１２３には、読影環境下にて測定された最低駆動レベルにおける表示部１２の輝度値を入力するための入力項目が設けられ、この入力項目には読影環境下における最低駆動レベルの輝度値Ｌ１が入力される。
【００３４】
また、ＬＵＴ表示領域１２３ｂは、入力された輝度値に基づいて作成されるＬＵＴカーブを表示する領域であり、指示ボタン１２３ｃは、ＬＵＴ表示領域１２３ｂに表示されたＬＵＴの調整指示を入力するためのボタン（例えば、「LEFT」，「RIGHT」，「UP」，「DOWN」等）である。
【００３５】
制御部１１は、ＬＵＴ作成画面１２３において入力された各輝度値に基づいて、暗室環境下で測定された輝度値に基づくモニタ特性を求め、このモニタ特性に基づいて読影環境下におけるモニタ特性を算出する。そして、算出された読影環境下におけるモニタ特性に基づいてＬＵＴカーブを生成し、ＬＵＴ表示領域１２３ｂに表示させる。図６を参照して、暗室環境下で測定された輝度値に基づくモニタ特性及び読影環境下におけるモニタ特性について説明する。
【００３６】
図６は、暗室環境下で測定された輝度値に基づくモニタ特性と読影環境下におけるモニタ特性を示す図であり、縦軸は輝度を、横軸はモニタ駆動値（通常8bitであり、0〜255の値）を示している。点線は、暗室環境下で上述した輝度測定処理が実行されることにより測定された輝度値がプロットされ、プロットされた点を曲線補間して得られるモニタ特性ｇ0(DDL)を示している。また、実線は、暗室環境下におけるモニタ特性及び輝度値Ｌ０に基づいて算出される読影環境下におけるモニタ特性ｇ(DDL)を示している。
【００３７】
モニタ特性ｇ(DDL)の算出方法について説明する。まず、暗室環境下で測定された最低駆動レベルにおける表示部１２の輝度値Ｌ０と、読影環境下にて測定された最低駆動レベルにおける表示部１２の輝度値Ｌ１との差分から、モニタ反射輝度Ｌαを求める。
Ｌ１−Ｌ０＝Ｌα…（１）
このモニタ反射輝度Ｌαは、読影時の環境光に依存して変動する値である。このモニタ反射輝度Ｌαを暗室環境下で測定された輝度値に基づくモニタ特性を示すｇ0(DDL)に加算することにより、実線で示す読影環境下におけるモニタ特性ｇ(DDL)が算出される。
ｇ(DDL)＝ｇ0(DDL)＋Ｌα
＝ｇ0(DDL)＋（Ｌ１−Ｌ０）…（２）
得られたモニタ特性ｇ0(DDL)、モニタ特性ｇ(DDL)は、記憶部１６に格納されるものとする。
【００３８】
続いて、算出された読影環境下におけるモニタ特性ｇ(DDL)と、目標諧調特性とに基づいてＬＵＴカーブが生成される。ここで、目標諧調特性は、表示部１２の表示できる最高輝度、最低輝度、ＤＩＣＯＭにより規定されるＧＳＤＦ特性（グレースケール標準表示関数）に基づいて算出されるものである。ＧＳＤＦ特性は、人の視覚特性を表す曲線であり、観察者が識別できる輝度差に対する指標値を定めたものである。このＧＳＤＦ特性に基づいて階調補正を行うことにより、同一画像の異なる装置間での見え方を整合することができる。そして、読影環境下におけるモニタ特性ｇ(DDL)に基づいて、モニタ目標諧調特性を実現できるようなルックアップテーブルとしてのＬＵＴカーブが生成され、ＬＵＴ表示領域にＬＵＴカーブが表示される。ここでは、指示ボタン１２３ｃを介して、オペレータの指示が入力されると、入力された指示に応じてＬＵＴカーブの調整が行われる。
【００３９】
図３に戻り、ＬＵＴ作成画面１２３において、ＬＵＴカーブの生成及び調整が終了すると、表示部１２の階調特性を補正するためのＬＵＴが作成される（ステップＳ１２）。作成されたＬＵＴは、記憶部１６に格納される（ステップＳ１３）。さらに、制御部１１により、作成されたＬＵＴによりテストチャートが変換され、表示部１２に表示される（ステップＳ１４）。
【００４０】
そして、オペレータにより、ＬＵＴにより変換されたテストチャートの輝度が測定され、測定された輝度が所定の調整値範囲内である場合、輝度調整の終了指示が入力され（ステップＳ１５；ＹＥＳ）、本ＬＵＴ作成処理が終了される。また、測定された輝度が所定の調整値範囲内でない場合、再度ＬＵＴの作成を行う指示が入力され（ステップＳ１５；ＮＯ）、ステップＳ１１〜１４の処理が繰り返して実行される。
【００４１】
以上のように、本実施の形態によれば、表示部１２の輝度調整を行う場合、最低駆動レベルにより表示部１２を駆動させて、表示部１２の輝度を測定させると共に、測定用駆動レベルにより表示部１２を駆動させ、階調の異なるテストチャートを表示させて、各階調毎に表示部１２の輝度を測定させる。そして、最低駆動レベルにおける輝度値と、各諧調毎に測定された輝度値とに基づいて、階調を補正するためのＬＵＴを作成する。
【００４２】
これにより、画像表示装置１の電源を遮断することなく、表示部１２の輝度調整を行うことができるため、電源の遮断、画像形成装置１の再起動及び輝度レベルの安定化に係る時間を省いて効率良く輝度の測定を行うことができる。また、例えば、画像表示装置１がネットワークに接続されているであっても、電源遮断によるシステムエラー等が生じることがない。また、環境光の影響を受けない暗室環境下で測定された最低駆動レベルの輝度値と、読影環境下で測定された最低駆動レベルにおける輝度値とに基づいて、環境光に依存する反射輝度Ｌαを算出し、この反射輝度Ｌαとモニタ特性ｇ0(DDL)に基づいて、読影環境下におけるモニタ特性を算出するため、環境光の写り込みを補正した良好な輝度特性の下、医用画像を表示部１２に表示させて、読影を行うことができる。
【００４３】
さらに、モニタ特性ｇ0(DDL)を記憶部１６に格納しておくことにより、読影時の環境光が変化した場合、変化した読影環境下において、最低駆動レベルにおける表示部１２の輝度値Ｌ１を測定するだけで、モニタ特性ｇ0(DDL)と反射輝度Ｌα（Ｌ１−Ｌ０）に基づいて、新たな環境に対応するモニタ特性ｇ(DDL)を算出することができる。これにより、環境光の変化に応じて容易かつ迅速にキャリブレーションを行うことができ、作業効率を向上させることができる。
【００４４】
また、ＬＵＴを作成した後、作成されたＬＵＴにより変換されたテストチャートを表示部１２に表示させて、再度輝度の測定を行うことにより、ＬＵＴにより適切な階調に補正が行われているか否かの確認を行うことができる。これにより、目標とする階調特性に確実に調整することができる。
【００４５】
なお、上述の実施の形態における記述は、本発明に係る好適な画像表示装置１の一例であり、これに限定されるものではない。例えば、本実施の形態においては、テストチャートとして３種の異なる階調のグレースケールを使用する場合を例として説明したが、テストチャートの階調はこれに限らない。
【００４６】
また、表示部１２は、ＣＲＴやＬＣＤ等である場合を例として説明したが、ＥＬＤ（Electro Luminescent Display）、ＰＤＰ（Plasma Display Panel）等により構成されていてもよい。また、本実施の形態における画像表示装置１は、医用画像を表示するものとして説明を行ったが、表示される画像は医用画像に限定されるものではなく、種々の画像を表示する画像表示装置に適用されてもよい。
【００４７】
その他、本実施の形態における画像表示装置を構成する細部構成、及び細部動作に関しても、本発明の趣旨を逸脱することのない範囲で適宜変更可能である。
【図面の簡単な説明】
【００４８】
【図１】画像表示装置１の機能的構成を示す図である。
【図２】図１に示す制御部１１により実行される輝度測定処理を示すフローチャートである。
【図３】図１に示す制御部１１により実行されるＬＵＴ作成処理を示すフローチャートである。
【図４】（ａ）テストチャートを表示する表示画面１２１を示す図である。（ｂ）他のテストチャートを表示する表示画面１２２ａ〜１２２ｃを示す図である。
【図５】ＬＵＴ作成画面１２３の一例を示す図である。
【図６】環境光の影響を受けない暗室環境下におけるモニタ特性ｇ0(DDL)と、読影環境下におけるモニタ特性ｇ(DDL)を示す図である。
【符号の説明】
【００４９】
１    画像表示装置
１１    制御部
１２    表示部
１３    操作部
１４    通信部
１５    ＲＡＭ
１６    記憶部
１７    バス
【図１】
2005157260.tif 000003
【図２】
2005157260.tif 000004
【図３】
2005157260.tif 000005
【図４】
2005157260.tif 000006
【図５】
2005157260.tif 000007
【図６】
2005157260.tif 000008